(57)【特許請求の範囲】
【請求項１】
ソケット本体の上面に電気部品が載置される載置部が設けられ、該載置部の周囲には前記電気部品を案内するガイド突起が設けられ、該ガイド突起に案内されて前記載置部の上に載置された電気部品を、前記ソケット本体に枢着された押えカバーを閉止して押圧保持することにより、前記電気部品の下面に設けられた多数の接点端子を、前記載置部に多数配列されたコンタクトピンに押圧接触させるようにした電気部品用ソケットにおいて、
前記ソケット本体に設けられたガイド突起は少なくとも１つとし、前記押えカバーが閉止されたときに、該電気部品の隅角部分を対角線方向に押圧して、当該隅角部分と対角線上の反対側の隅角部分を、前記ガイド突起に当接させる押圧手段を設け、
前記押圧手段には、前記電気部品の隅角部分を押圧する押圧部材が前記ソケット本体に設けられると共に、前記押えカバーが閉止されたときに前記押圧部材を弾性変形させて前記隅角部分を押圧させる押え片が前記押えカバーに設けられ、
前記押圧部材は、前記ソケット本体に一端が固定されて上方に延びるバネで形成され、前記押圧部材の中間部の一部が、前記押え片により押圧されるようになっており、該中間部の一部と前記ソケット本体との間に第１バネ部が形成されると共に、前記中間部の一部と前記電気部品の隅角部を押圧する先端部との間に第２バネ部が形成されていることを特徴とする電気部品用ソケット。
【請求項２】
ソケット本体の上面に電気部品が載置される載置部が設けられ、該載置部の周囲には前記電気部品を案内するガイド突起が設けられ、該ガイド突起に案内されて前記載置部の上に載置された電気部品を、前記ソケット本体に枢着された押えカバーを閉止して押圧保持することにより、前記電気部品の下面に設けられた多数の接点端子を、前記載置部に多数配列されたコンタクトピンに押圧接触させるようにした電気部品用ソケットにおいて、
前記ソケット本体に設けられたガイド突起は少なくとも１つとし、前記押えカバーが閉止されたときに、該電気部品の隅角部分を対角線方向に押圧して、当該隅角部分と対角線上の反対側の隅角部分を、前記ガイド突起に当接させる押圧手段を設け、
前記押圧手段には、前記電気部品の隅角部分を押圧する押圧部材が前記ソケット本体に設けられると共に、前記押えカバーが閉止されたときに前記押圧部材を弾性変形させて前記隅角部分を押圧させる押え片が前記押えカバーに設けられ、
前記押圧部材は、前記ソケット本体に一端が固定されて上方に延びるバネで形成され、前記押え片により押圧されて先端部が前記電気部品の隅角部と接触するように弾性変形される第１バネ部を備え、
前記押え片は、前記押えカバーに一端が固定されたバネで形成され、前記押圧部材を押圧して前記先端部が前記電気部品の隅角部を押圧するように付勢する第２バネ部を備えていることを特徴とする電気部品用ソケット。
【請求項３】
前記押圧部材の先端部に、前記電気部品の隅角部分を押圧する絶縁性の押圧パッドを設けたことを特徴とする請求項１又は２に記載の電気部品用ソケット。
【請求項４】
前記押圧手段には、前記押えカバーを開いたときに、前記押圧部材を前記電気部品の隅角部分から離間させる戻し部材が更に設けられ、該戻し部材は、前記押圧部材に対して上下動自在な戻し体と、該戻し体を上方に付勢するスプリングとを備え、前記押えカバーを開いたときに、前記戻し体が前記押圧部材を所定の位置に配置させ、前記押えカバ−が閉止されたときに、前記押え片が前記戻し体を下方向に押して該戻し体の前記押圧部材に対する規制を外した後、前記押え片により前記押圧部材を弾性変形させるように構成されたことを特徴とする請求項１乃至３の何れか一つに記載の電気部品用ソケット。
【発明の詳細な説明】
【０００１】
【発明の属する技術分野】
この発明は、半導体装置（以下「ＩＣパッケ−ジ」という）等の電気部品を着脱自在に保持する電気部品用ソケットの改良に関するものである。
【０００２】
【従来の技術】
従来この種の電気部品用ソケットとしてのＩＣソケットは、電気部品であるＩＣパッケ−ジの性能試験を行うために、ＩＣパッケ−ジの端子としての格子状の多数の接点端子と、測定器（テスター）のプリント配線基板との電気的接続を用いるものである。
【０００３】
このＩＣソケットは、大略すると、ソケット本体とこれに枢支されている押えカバーとから構成されている。ソケット本体には中央部にＩＣパッケ−ジを載置する載置部が設けられており、この載置部には、ＩＣパッケ−ジの多数の接点端子とそれぞれ接触する多数のコンタクトピンの上部が配置されており、この載置部の四隅にはＩＣパッケ−ジの角部と嵌合して位置決めを行うガイド突起が設けられている。このガイド突起は互いに対向する面がＬ字状をしている。
【０００４】
ソケット本体の載置部に載置されたＩＣパッケ−ジは，押えカバーを回動させてソケット本体を閉止すると、その押えカバーによってＩＣパッケ−ジの上面が押圧され、ＩＣパッケ−ジの各接点端子とコンタクトピン部の各ピンとが加圧状態で接触することとなる。
【０００５】
【発明が解決しようとする課題】
しかしながら、このような従来のものにあっては、ソケット本体の載置部の四隅に設けられたガイド突起は、載置部内に載置されたＩＣパッケ−ジの位置決めを行うことから、外径公差の大きいＩＣパッケ−ジに対して公差の最大外径と許容できるガイド寸法に設定して形成されているが、最小外径のＩＣパッケ−ジが挿入された場合に、ガイド突起とＩＣパッケ−ジ間のクリアランスが大きくなり、その結果、ＩＣパッケ−ジの接点端子とソケット本体のコンタクトピンとの間に位置ずれが生じて接触不良を招くという問題点があった
そこで、この発明は、ＩＣパッケ−ジとソケット本体のガイド突起に製作上の公差があっても、ソケット本体の載置部内のＩＣパッケ−ジの移動量を減らしてＩＣパッケ−ジの接点端子とソケット本体のコンタクトピンとが接触不良を生じないようにした電気部品用ソケットを提供することを課題としている。
【０００６】
【課題を解決するための手段】
かかる課題を達成するために、請求項１に記載の発明は、ソケット本体の上面に電気部品が載置される載置部が設けられ、該載置部の周囲には前記電気部品を案内するガイド突起が設けられ、該ガイド突起に案内されて前記載置部の上に載置された電気部品を、前記ソケット本体に枢着された押えカバーを閉止して押圧保持することにより、前記電気部品の下面に設けられた多数の接点端子を、前記載置部に多数配列されたコンタクトピンに押圧接触させるようにした電気部品用ソケットにおいて、前記ソケット本体に設けられたガイド突起は少なくとも１つとし、前記押えカバーが閉止されたときに、該電気部品の隅角部分を対角線方向に押圧して、当該隅角部分と対角線上の反対側の隅角部分を、前記ガイド突起に当接させる押圧手段を設け、前記押圧手段には、前記電気部品の隅角部分を押圧する押圧部材が前記ソケット本体に設けられると共に、前記押えカバーが閉止されたときに前記押圧部材を弾性変形させて前記隅角部分を押圧させる押え片が前記押えカバーに設けられ、前記押圧部材は、前記ソケット本体に一端が固定されて上方に延びるバネで形成され、前記押圧部材の中間部の一部が、前記押え片により押圧されるようになっており、該中間部の一部と前記ソケット本体との間に第１バネ部が形成されると共に、前記中間部の一部と前記電気部品の隅角部を押圧する先端部との間に第２バネ部が形成されていることを特徴とする。
【０００７】
請求項２に記載の発明は、請求項１に記載の構成に加え、ソケット本体の上面に電気部品が載置される載置部が設けられ、該載置部の周囲には前記電気部品を案内するガイド突起が設けられ、該ガイド突起に案内されて前記載置部の上に載置された電気部品を、前記ソケット本体に枢着された押えカバーを閉止して押圧保持することにより、前記電気部品の下面に設けられた多数の接点端子を、前記載置部に多数配列されたコンタクトピンに押圧接触させるようにした電気部品用ソケットにおいて、前記ソケット本体に設けられたガイド突起は少なくとも１つとし、前記押えカバーが閉止されたときに、該電気部品の隅角部分を対角線方向に押圧して、当該隅角部分と対角線上の反対側の隅角部分を、前記ガイド突起に当接させる押圧手段を設け、前記押圧手段には、前記電気部品の隅角部分を押圧する押圧部材が前記ソケット本体に設けられると共に、前記押えカバーが閉止されたときに前記押圧部材を弾性変形させて前記隅角部分を押圧させる押え片が前記押えカバーに設けられ、前記押圧部材は、前記ソケット本体に一端が固定されて上方に延びるバネで形成され、前記押え片により押圧されることにより先端部が前記電気部品の隅角部と接触するように弾性変形される第１バネ部を備え、前記押え片は、前記押えカバーに一端が固定されたバネで形成され、前記押圧部材を押圧して前記先端部が前記電気部品の隅角部を押圧するように付勢する第２バネ部を備えていることを特徴とする。
【０００８】
請求項３に記載の発明は、請求項１又は２に記載の構成に加え、前記押圧部材の先端部に、前記電気部品の隅角部分を押圧する絶縁性の押圧パッドを設けたことを特徴とする。
【００１０】
請求項４に記載の発明は、請求項１乃至３の何れかに記載の構成に加え、前記押圧手段には、前記押えカバーを開いたときに、前記押圧部材を前記電気部品の隅角部分から離間させる戻し部材が更に設けられ、該戻し部材は、前記押圧部材に対して上下動自在な戻し体と、該戻し体を上方に付勢するスプリングとを備え、前記押えカバーを開いたときに、前記戻し体が前記押圧部材を所定の位置に配置させ、前記押えカバ−が閉止されたときに、前記押え片が前記戻し体を下方向に押して該戻し体の前記押圧部材に対する規制を外した後、前記押え片により前記押圧部材を弾性変形させるように構成されたことを特徴とする。
【００１１】
【発明の実施の形態】
以下、この発明の実施の形態について説明する。
【００１２】
［発明の実施の形態１］
図１〜図３には、この発明の実施の形態１を示す。図１はこの発明の実施の形態１に係るＩＣソケットの一部を切断した平面図、図２は同実施の形態１に係るＩＣソケットの押圧部材を示す縦断面図、図３は同実施の形態１に係るガイド突起とＩＣパッケージとの関係を示す概略平面図である。
【００１３】
まず構成を説明すると、図中符号１は、「電気部品用ソケット」としてのＩＣソケットで、このＩＣソケット１は「電気部品」であるＩＣパッケ−ジ２の性能試験を行うために、このＩＣパッケ−ジ２の「端子」としての接点端子２ｂと、測定器（テスタ−）のプリント配線板（図示省略）との電気的接続を図るものである。
【００１４】
このＩＣパッケ−ジ２は、平坦な略直方体状のパッケ−ジ本体２ａの下面から多数の接点端子２ｂが突出し、これら接点端子２ｂは、縦列Ｙと横列Ｘとに格子状に配列されている。
【００１５】
一方、ＩＣソケット１は大略すると、プリント配線板上に装着されるソケット本体３とソケット本体３に枢支されている押えカバ−４とから構成されている。
【００１６】
このソケット本体３には、上面部にＩＣパッケ−ジ２を載置する載置部５が設けられており、この載置部５には、ＩＣパッケ−ジ２の接点端子２ｂと接触するコンタクトピン７が格子状に多数配置されたコンタクトピン配設部６が設けられている。また、載置部５の３つの隅角部には、コンタクトピン配設部６の外側にＩＣパッケ−ジ２の隅角部分と嵌合して位置決めを行う平面視においてＬ字型のガイド突起８がそれぞれ設けられている。また、残りの隅角部近傍には、図１に示すように、一対のガイド突起３０が設けられている。
【００１７】
また、その載置部５には、図２に示すように、可動プレート９が設けられ、この可動プレート９には、ＩＣパッケ−ジ２の接点端子２ｂと接触する前記コンタクトピン７が格子状に多数配置されると共に、このコンタクトピン７は、ソケット本体３に圧入され、ソケット本体３の下面から下方に突出する多数のリード端子１０と、長板状のバネ部１１とを有している。
【００１８】
そして、図１における載置部５内に設けられた四角形のコンタクトピン配設部６の中心Ｏは、図３において３つのガイド突起８の内面を結ぶ線で形成された方形領域の中心に対して、図３中左下のガイド突起８寄りにズレた位置に設定されている。
【００１９】
そのコンタクトピン配設部６の中心Ｏは、具体的には、図３に示すようにそれぞれ２つのガイド突起８の内面間の距離が１０．２ｍｍで公差を＋０．１５〜＋０．０５ｍｍ、ＩＣパッケ−ジ２の一辺が１０ｍｍで公差を±０．２ｍｍとすると、前記ガイド突起８の内面からの距離が５ｍｍで公差が±０．０５ｍｍに設定されている。
【００２０】
また、図１に示すように載置部５のガイド突起３０が設けられている一隅には、ソケット本体３に押圧部材１５が設けられている。この押圧部材１５は載置部５内に載置されたＩＣパッケ−ジ２の隅角部分を押圧するもので、載置部５の対角線方向に弾性変形可能となっている。
【００２１】
この押圧部材１５は、図２に示すように、ソケット本体３に一端が圧入され、中間部が上方に延びる第１バネ部１５ａとつづら折りに折曲された第２バネ部１５ｂとを有し、先端部としての他端が載置部５内に載置されたＩＣパッケ−ジ２の隅角部分に対向した位置に設けられた長板状のバネで形成されている。
【００２２】
また、押えカバー４は、図１に示すようにソケット本体３の一側部に設けられた枢支ピン１６に回動自在に取り付けられており、枢支ピン１６に挿着されたコイルバネ１７によって常に開く方向に付勢されている。図中符号１８は枢支ピン１６に回動自在に取り付けられ、ＩＣパッケ−ジ２を押圧するセカンドカバーである。
【００２３】
さらに、押えカバー４の内面には載置部５内に載置されたＩＣパッケ−ジ２をスライドさせるため、押圧部材１５を載置部５の対角線に可動させる押え片１９が設けられている。この押え片１９及び前記押圧部材１５で、「押圧手段」が構成されている。
【００２４】
さらにまた、押えカバー４の外端には、爪２１を有するフックレバー２０が設けられており、押えカバー４を閉じたときに、この爪２１はソケット本体３の外端下縁に係合し、ソケット本体３との間で閉止状態を保持する。
【００２５】
次に、かかる構成のＩＣソケット１の使用方法について説明する。
【００２６】
まず、予めＩＣソケット１のコンタクトピン配設部６のリード端子１０をプリント配線板の挿入孔に挿入して半田付けすることにより、プリント配線板に複数のＩＣソケット１を配設しておく。
【００２７】
そして、かかるＩＣソケット１にＩＣパッケージ２を、例えば自動機により以下のようにセットして電気的に接続する。
【００２８】
即ち、自動機によりＩＣパッケージ２を保持して、ソケット本体３の載置部５内にガイド突起８により案内させて載置する。
【００２９】
次に、押えカバー４を閉止すると、押えカバー４に設けられた押え片１９がソケット本体３の一隅に設けられた押圧部材１５をその弾力に抗してそれと対角線位置にあるガイド突起８の方向に押圧して移動させる。
【００３０】
そうすると、ＩＣパッケージ２の隅角部分の側面が、その可動する押圧部材１５に押されてガイド突起８に向けて移動し、突き当ったところで停止する。
【００３１】
なお、このとき、押えカバー４も完全に閉止され、ＩＣパッケージ２の上面はセカンドカバー１８の内面によって押圧され、ＩＣパッケージ２の下面の各接点端子２ｂはＩＣソケット１のコンタクトピン７と圧接する。
【００３２】
勿論、押えカバー４を開くことにより、上記と反対の動作をして、押圧部材１５がＩＣパッケージ２の隅角部分から離間し、ＩＣパッケージ２の取り出しが可能となる。
【００３３】
このように、コンタクトピン配設部６の上に載置されたＩＣパッケージ２の隅角部分をガイド突起８に接触させるように押し込むようにしているため、コンタクトピン配設部６の中心Ｏを、３つのガイド突起８の内面を結ぶ線で形成された方形領域の中心に対して、ＩＣパッケージ２と接触しているガイド突起８寄りにズラすことができる。従って、ＩＣパッケージ２等に公差が発生したとしても、各コンタクトピン７と各接点端子２ｂとのズレ量を従来よりも小さくすることができる。
【００３４】
これを、従来例と具体的に比較すると、図８に示す従来例では、コンタクトピン配設部６の中心Ｏが４つのガイド突起８の内面を結ぶ線で形成された方形領域の中心と一致するように形成されている。これは、ＩＣパッケージ２が何れの方向にズレたとしても、各コンタクトピン７と各接点端子２ｂとのズレ量を最小にするためである。
【００３５】
本実施の形態１と同様に、それぞれ２つのガイド突起８の内面の距離が１０．２ｍｍで、公差を±０．１５〜＋０．０５ｍｍ、またＩＣパッケージ２も同様に一辺が１０ｍｍで、公差を±０．２ｍｍとすると、ガイド突起８の内面とＩＣパッケージ２の一辺とに生じるクリアランスの最大が、（１０．３５−９．８）÷２＝０．２７５となり、ＩＣパッケージ２の中心はＸ，Ｙ方向共に０．２７５ｍｍずつ動き、方形内では０．５５ｍｍ動くことになる。
【００３６】
これに対し、本発明の実施の形態１では、ガイド突起８にＩＣパッケージ２が押し付けられ、そのガイド突起８を基準にしてコンタクトピン配設部６の中心Ｏが当該ガイド突起８寄り位置にＸ．Ｙ方向に０．１ｍｍずれて設定されているため、最大クリアランスは、ガイド突起８の最大公差を含む寸法を５．０５ｍｍとし、ＩＣパッケージ２の最少公差を含む寸法を４．９ｍｍとすると、５．０５−４．９＝０．１５となり、ＩＣパッケージ２の中心はＸ，Ｙ方向共に０．１５ｍｍずつとなり、方形内では０．３ｍｍを動くことになり、略半分に抑制されることが分かる。
【００３７】
［発明の実施の形態２］
図４はこの発明の実施の形態２に係るＩＣソケットの押えカバーの一部と押圧部材を示す断面図で、（ａ）はカバー開の状態を示す図、（ｂ）はカバー閉の状態を示す図である。
【００３８】
この実施の形態２は、押圧部材１５の先端部に弾力性を有する絶縁材の押圧パッド２５を取り付けたものである。
【００３９】
パッケ−ジがＩＣパッケ−ジ２のようなセラミック等の絶縁物であれば金属で直接押圧しても電気的短絡（ショ−ト）は発生しないが、多層のプラスチック基板等の断面に導電部材があるパッケ−ジの場合には各層間のショ−トが発生する可能性がある。従って、押圧部材１５の先端部に弾力性を有する絶縁材の押圧パッド２５を取り付けたことにより、各層間の絶縁状態を保持することができる。
【００４０】
他の構成及び作用は実施の形態１と同様である。
【００４１】
［発明の実施の形態３］
図５はこの発明の実施の形態３に係るＩＣソケットの押えカバーの一部と押圧部材を示す断面図で、（ａ）はカバー開の状態を示す図、（ｂ）はカバー閉の状態を示す図である。
【００４２】
この実施の形態３は、押圧部材１５が真っ直ぐな第１バネ部としての長板状のバネであり、その先端部に弾力性を有する絶縁材の押圧パッド２５を取り付け、押えカバ−４の下面に取り付けられた押え片１９が先端側が略三角形に折り曲げられた第２バネ部としての長板状のバネで形成されている。押えカバー４の成形が安価にできる利点がある。
【００４３】
その作用、効果は実施の形態２と同様である。
【００４４】
［発明の実施の形態４］
図６はこの発明の実施の形態４に係るＩＣソケットのカバーの一部と押圧部材を示す断面図で、（ａ）はカバー開の状態を示す図、（ｂ）はカバー閉の状態を示す図である。
【００４５】
この実施の形態４は、押圧部材１５が第１バネ部としての長板状のバネであり、押えカバ−４の下面に取り付けられた押え片１９も先端側が略三角形に折り曲げられた第２バネ部としての長板状のバネで形成されている。このように両者をバネで形成することにより、大きな弾性力を確保でき、ＩＣパッケージ２を押圧する場合の当たりを柔らかくすることができる。
【００４６】
その作用、効果は実施の形態２と同様である。
【００４７】
［発明の実施の形態５］
図７はこの発明の実施の形態５に係るＩＣソケットの押えカバーの一部と押圧部材を示す断面図で、（ａ）はカバー開の状態を示す図、（ｂ）はカバー閉の状態を示す図である。
【００４８】
この実施の形態５は、押圧部材１５のＩＣパッケ−ジ２と接触する部分におけるバネ力による戻り量が、経時変化等により不足することがあるため、押圧部材１５を強制的に戻すための改良を施したものである。
【００４９】
この実施の形態５は、押圧部材１５の先端部に弾力性を有する絶縁材の押圧パッド２５を取り付け、押圧部材１５の中間部に戻し部材２６を設けたものである。この戻し部材２６は、押圧部材１５の中間部を挿通させ、中間部に対して上下動自在な戻し体２７と、戻し体２７を上方に付勢するコイルスプリング２８とで構成されている。
【００５０】
押えカバ−４を閉じると、押えカバ−４の押え片１９が押圧部材１５を押す前にバネ戻し部材２６を下方向に押して押圧部材１５に対する規制を外す。その規制の外れた後に、押えカバ−４の押え片１９は押圧部材１５の先端を押してＩＣパッケ−ジ２を押し、ＩＣパッケ−ジ２を定位置に移動させる。
【００５１】
ＩＣパッケ−ジ２を押圧する押圧部材１５は、外力による変形や繰返し作動又は使用温度等の環境条件により発生する塑性変形により、押えカバー４が開いた状態で、ＩＣパッケ−ジ２から離間しなくなる可能性がある場合にも、押えカバー４が開く時に押圧部材１５を所定の位置までバネ戻し部材２６にて確実に戻すことができる。
【００５２】
他の構成作用は実施の形態１と同じである。
【００５３】
なお、上記各実施の形態では、「電気部品用ソケット」として、ＩＣソケット１にこの発明を適用したが、これに限らず、他の装置にも適用できることは、勿論である。
【００５４】
また、上記各実施の形態では、「電気部品」であるＩＣパッケージは、平坦な略直方体状のものであったが、この形状に限られるものではなく、ＩＣパッケージをＩＣソケットの載置部に載置する際に、ＩＣパッケージの向きを間違えて載置しないために、目印としてＩＣパッケージの一角を切除し、直線状にしたものや、丸み等を持たせたものがあるが、このような形状の隅角部を有するＩＣパッケージにもこの発明を適用できることは勿論である。
【００５５】
また、上記各実施の形態では、セカンドカバー１８を用いているが、このカバー１８を使用しないものでも、この発明を適用できる。
【００５６】
【発明の効果】
以上説明してきたように、各請求項に記載の発明によれば、押えカバーが閉止されたとき、電気部品を対角線方向に押圧して、ガイド突起に押し付けるようにしているため、当該ガイド突起寄りにコンタクトピン配設部の中心をズラすことができ、電気部品の下面に設けられた多数の接点端子とコンタクトピンとの接触不良を防止することができる。
【００５７】
請求項３に記載の発明によれば、上記効果に加え、押圧部材の先端部に弾力性を有する絶縁材の押圧パッドを設けたことにより、パッケージの断面に導電部材があるときに生じるショ−トを防止できる。
【００５９】
請求項４に記載の発明によれば、請求項１乃至３の何れかに記載の効果に加え、押圧部材を戻す戻し部材を設けたことにより、押圧部材が戻し不足となっても、戻し部材が押圧部材を所定の位置に戻すため、この押圧部材を確実に電気部品から離間させることができる。
【図面の簡単な説明】
【図１】この発明の実施の形態１に係るＩＣソケットの一部を切断した平面図である。
【図２】同実施の形態１に係るＩＣソケットの押圧部材を示す縦断面図である。
【図３】同実施の形態１に係るガイド突起とＩＣパッケージとの関係を示す概略平面図である。
【図４】この発明の実施の形態２に係るＩＣソケットのカバーの一部と押圧部材を示す断面図で、（ａ）はカバー開の状態を示す図、（ｂ）はカバー閉の状態を示す図である。
【図５】この発明の実施の形態３に係るＩＣソケットのカバーの一部と押圧部材を示す断面図で、（ａ）はカバー開の状態を示す図、（ｂ）はカバー閉の状態を示す図である。
【図６】この発明の実施の形態４に係るＩＣソケットのカバーの一部と押圧部材を示す断面図で、（ａ）はカバー開の状態を示す図、（ｂ）はカバー閉の状態を示す図である。
【図７】この発明の実施の形態５に係るＩＣソケットのカバーの一部と押圧部材を示す断面図で、（ａ）はカバー開の状態を示す図、（ｂ）はカバー閉の状態を示す図である。
【図８】従来のＩＣソケットのガイド突起とＩＣパッケージとの関係を示す概略平面図である。
【符号の説明】
１  ＩＣソケット（電気部品用ソケット）
２  ＩＣパッケ−ジ（電気部品）
３  ソケット本体
４  押えカバ−
６  コンタクトピン配設部
７  コンタクトピン
８  ガイド突起
１５  押圧部材
１９  押え片
【図１】
0003954161.tif 000002
【図２】
0003954161.tif 000003
【図３】
0003954161.tif 000004
【図４】
0003954161.tif 000005
【図５】
0003954161.tif 000006
【図６】
0003954161.tif 000007
【図７】
0003954161.tif 000008
【図８】
0003954161.tif 000009